(57)【要約】  消費可能な製品用の装着可能なパッケージおよびその使用方法が提供される。一般的な実施形態では、装着可能なパッケージは、製品を収納するための第１の区画と、双安定性バンドを収納するための第２の区画とを含む。装着可能なパッケージは、限定されるものではないが、消費可能な製品を便利に持ち運びかつ取り扱うことと、装着可能なパッケージ内に収容された製品への容易な両手でのアクセス、片手でのアクセス、または手を使わないアクセスとを含むいくつかの利点および利益を提供する。【選択図】図１
2016501784.tif 000002
【特許請求の範囲】
【請求項１】
装着可能なパッケージであって、
製品を収納するための第１の区画と、
双安定性バンドを収納するための第２の区画とを備え、前記パッケージが消費者により装着されるように構築および構成される、パッケージ。
【請求項２】
前記消費者が、運動競技者、親、子供、ペット、教員、およびこれらの組み合わせからなる群から選択される、請求項１に記載のパッケージ。
【請求項３】
前記パッケージは、長さが約２〜約１０インチである、請求項１または２に記載のパッケージ。
【請求項４】
前記パッケージは、幅が約０．５〜約４インチである、請求項１〜３のいずれか一項に記載のパッケージ。
【請求項５】
前記第１の区画は、容積が約１オンス〜約４オンスである、請求項１〜４のいずれか一項に記載のパッケージ。
【請求項６】
前記第１の区画が、固体製品、液体製品、半固体製品、およびこれらの組み合わせのうちの少なくとも１つを収納するように構築および構成される、請求項１〜５のいずれか一項に記載のパッケージ。
【請求項７】
前記第１の区画が、少なくとも２つの別個の部分に分割される、請求項１〜６のいずれか一項に記載のパッケージ。
【請求項８】
前記第１の区画が再充填可能である、請求項１〜７のいずれか一項に記載のパッケージ。
【請求項９】
前記第１の区画と前記第２の区画とが連続している、請求項１〜８のいずれか一項に記載のパッケージ。
【請求項１０】
前記第２の区画が、双安定性バンドを受け入れるための細長い開口を備える、請求項１〜９のいずれか一項に記載のパッケージ。
【請求項１１】
前記パッケージが再使用可能である、請求項１〜１０のいずれか一項に記載のパッケージ。
【請求項１２】
前記パッケージが使い捨て可能である、請求項１〜１０のいずれか一項に記載のパッケージ。
【請求項１３】
前記第１の区画もしくは前記第２の区画、または前記第１の区画および前記第２の区画が、消費可能な製品を収納するように形成および構成された中空の剛性容器である、請求項１〜１２のいずれか一項に記載のパッケージ。
【請求項１４】
前記第１の区画もしくは前記第２の区画、または前記第１の区画および前記第２の区画が、不可逆的に封止される、請求項１〜１３のいずれか一項に記載のパッケージ。
【請求項１５】
前記第１の区画もしくは前記第２の区画、または前記第１の区画および前記第２の区画が、可逆的に封止される、請求項１〜１３のいずれか一項に記載のパッケージ。
【請求項１６】
消費者に製品を与える方法であって、
製品を収納するための第１の区画、および双安定性バンドを収納するための第２の区画を備える装着可能なパッケージを準備するステップと、
前記消費者に前記パッケージを装着するように指示するステップと、
前記消費者に前記製品を消費するように指示するステップと、
を含む、消費者に製品を与える方法。
【請求項１７】
前記パッケージが、請求項１〜１５に記載のパッケージからなる群から選択される、請求項１６に記載の方法。
【請求項１８】
前記与える方法が、ペットにペット用おやつを与える方法である、請求項１６または１７に記載の方法。
【請求項１９】
前記与える方法が、子供にスナックを与える方法である、請求項１６または１７に記載の方法。
【請求項２０】
前記与える方法が、運動競技者に栄養を与える方法である、請求項１６または１７に記載の方法。
【発明の詳細な説明】
【技術分野】
【０００１】
[0001]本開示は、包装に関する。より具体的には、本開示は、消費可能な製品用の装着可能な包装およびその使用方法に関する。
【背景技術】
【０００２】
[0002]消費可能な製品用の多くの異なる種類のパッケージが、現在市場で入手可能である。既知のパッケージとしては、例えば、段ボール箱、プラスチックボトル、プラスチック袋、紙袋などが挙げられる。異なる種類の既知のパッケージは、パッケージの使用目的に応じて利点および欠点を有する。例えば、段ボール箱は、軽量で、再利用可能であり、容易に圧縮される。反対に、段ボール箱は、液体またはゲルを収容できず、プラスチック包装ほど頑丈ではなく、また、実質的に正方形または矩形ではない何らかの固形物に対しては詰め込み密度が低い。
【０００３】
[0003]更に、例えば、段ボール箱内の任意の消費可能な製品（複数可）の消費では通常、箱から消費者の口内に製品を直接分配することが難しいので、両手でのアプローチが必要となる。実際に、市販の製品用パッケージでは、パッケージを保持するための片方の手と、消費者の口内に製品を分配するためのもう片方の手が必要となる。パッケージが消費者の口内への直接分配用に設計されているとしても、消費前または消費中に消費者が自身の手（複数可）でパッケージを持ち運ばなければならないことは、依然として不便な場合がある。このことは、消費者が、例えば、種々の運動競技など、両手でないにしても、少なくとも自由な片手を必要とする活動に従事しているときに特に当てはまる。
【発明の概要】
【発明が解決しようとする課題】
【０００４】
[0004]それゆえ、容易に運ばれ、保持され、または持ち運ばれる消費可能な製品用パッケージであって、消費者による消費が容易になるように設計される消費可能な製品用パッケージが必要とされている。
【課題を解決するための手段】
【０００５】
[0005]本開示は、装着可能なパッケージおよびその使用方法を対象とする。一般的な実施形態では、装着可能なパッケージが提供され、このパッケージは、製品を収納するための第１の区画と、双安定性バンドを収納するための第２の区画とを含む。
【０００６】
[0006]実施形態では、パッケージは、消費者により装着されるように構築および構成される。
【０００７】
[0007]実施形態において、パッケージは、手首、足首、腰、首、指、およびこれらの組み合わせからなる群から選択される身体部分に装着されるように構築および構成される。
【０００８】
[0008]実施形態において、パッケージは、腕時計、ベルト、スカーフ、ペットの首輪、靴、ヘッドバンド、リストバンド、およびこれらの組み合わせからなる群から選択される衣類片に装着されるように構築および構成される。
【０００９】
[0009]実施形態において、消費者は、運動競技者、親、子供、ペット、教員、およびこれらの組み合わせからなる群から選択される。
【００１０】
[0010]実施形態において、パッケージはスラップブレスレットである。
【００１１】
[0011]実施形態において、双安定性バンドは、プラスチック、金属、およびこれらの組み合わせからなる群から選択される材料で作られる。双安定性バンドは、実質的に平坦なバンドであってもよく、かつ長さが約２インチ〜約１０インチ、または長さが約３インチ〜約９インチ、または長さが約４インチ〜約８インチ、または長さが約５インチ〜約７インチ、または長さが約６インチであってもよい。パッケージはまた、幅が約０．５〜約４インチ、または幅が約１〜約３インチ、または幅が約２インチであってもよい。
【００１２】
[0012]実施形態において、第１の区画は、約０．５オンス〜約５オンス、または約１オンス〜約４オンス、または約２オンス〜約３オンス、または約１．４オンス、または約２．５オンスの容積を有する。
【００１３】
[0013]実施形態において、第１の区画は、固体製品、液体製品、半固体製品、またはこれらの組み合わせを収納するように構築および構成される。
【００１４】
[0014]実施形態において、第１の区画は、穿孔、破断線、一方向弁、およびこれらの組み合わせからなる群から選択される少なくとも１つの開口要素を含む。
【００１５】
[0015]実施形態において、第１の区画は、少なくとも２つの別個の部分に分割される。少なくとも２つの別個の部分は、同じ大きさまたは異なる大きさを有してもよい。少なくとも２つの別個の部分は、同じ製品または異なる製品を収納するように構築および構成されてもよい。
【００１６】
[0016]実施形態において、第１の区画は再充填可能である。
【００１７】
[0017]実施形態において、第１および第２の区画は、１つの材料片で形成される。第１および第２の区画はまた、別個の材料から形成され、製造時に接合されてもよい。第１および第２の区画は、接着剤を使用して接合されてもよい。
【００１８】
[0018]実施形態において、第１および第２の区画は連続している。
【００１９】
[0019]実施形態において、第１および第２の区画は、実質的に同じ大きさであるが、異なる大きさであってもよい。第１および第２の区画はまた、同じ形状または異なる形状であってもよい。
【００２０】
[0020]実施形態において、パッケージは、外表面に表示を含む。
【００２１】
[0021]別の実施形態では、装着可能なパッケージが提供され、このパッケージは、製品を収納するための第１の区画と、双安定性バンドを受け入れるための細長い開口を有する第２の区画とを含む。
【００２２】
[0022]実施形態において、細長い開口は、双安定性バンドを受け入れる大きさおよび形状とされる。
【００２３】
[0023]実施形態において、パッケージは再使用可能である。
【００２４】
[0024]実施形態では、パッケージは、消費者により装着されるように構築および構成される。
【００２５】
[0025]実施形態において、パッケージは、手首、足首、腰、首、指、およびこれらの組み合わせからなる群から選択される身体部分に装着されるように構築および構成される。
【００２６】
[0026]実施形態において、パッケージは、腕時計、ベルト、スカーフ、ペットの首輪、靴、ヘッドバンド、リストバンド、およびこれらの組み合わせからなる群から選択される衣類片に装着されるように構築および構成される。
【００２７】
[0027]実施形態において、消費者は、運動競技者、親、子供、ペット、教員、およびこれらの組み合わせからなる群から選択される。
【００２８】
[0028]実施形態において、パッケージはスラップブレスレットである。
【００２９】
[0029]実施形態において、双安定性バンドは、プラスチック、金属、およびこれらの組み合わせからなる群から選択される材料で作られる。双安定性バンドは、実質的に平坦なバンドであってもよく、かつ長さが約２インチ〜約１０インチ、または長さが約３インチ〜約９インチ、または長さが約４インチ〜約８インチ、または長さが約５インチ〜約７インチ、または長さが約６インチであってもよい。パッケージはまた、幅が約０．５〜約４インチ、または幅が約１〜約３インチ、または幅が約２インチであってもよい。
【００３０】
[0030]実施形態において、第１の区画は、約０．５オンス〜約５オンス、または約１オンス〜約４オンス、または約２オンス〜約３オンス、または約１．４オンス、または約２．５オンスの容積を有する。
【００３１】
[0031]実施形態において、第１の区画は、固体製品、液体製品、半固体製品、またはこれらの組み合わせを収納するように構築および構成される。
【００３２】
[0032]実施形態において、第１の区画は、穿孔、破断線、一方向弁、およびこれらの組み合わせからなる群から選択される少なくとも１つの開口要素を含む。
【００３３】
[0033]実施形態において、第１の区画は、少なくとも２つの別個の部分に分割される。少なくとも２つの別個の部分は、同じ大きさまたは異なる大きさを有してもよい。少なくとも２つの別個の部分は、同じ製品または異なる製品を収納するように構築および構成されてもよい。
【００３４】
[0034]実施形態において、第１の区画は再充填可能である。
【００３５】
[0035]実施形態において、第１および第２の区画は、１つの材料片で形成される。第１および第２の区画はまた、別個の材料から形成され、製造時に接合されてもよい。第１および第２の区画は、接着剤を使用して接合されてもよい。
【００３６】
[0036]実施形態において、第１および第２の区画は連続している。
【００３７】
[0037]実施形態において、第１および第２の区画は、実質的に同じ大きさであるが、異なる大きさとあってもよい。第１および第２の区画はまた、同じ形状または異なる形状であってもよい。
【００３８】
[0038]実施形態において、パッケージは、外表面に表示を含む。
【００３９】
[0039]更に別の実施形態では、装着可能なパッケージが提供され、このパッケージは、消費可能な製品を収納する中空の剛性容器を含む。剛性容器は、消費者の付属肢の周りに装着されるように構築および構成される。
【００４０】
[0040]実施形態において、パッケージは、手首、足首、首、指、およびこれらの組み合わせからなる群から選択される付属肢に装着されるように構築および構成される。
【００４１】
[0041]実施形態において、消費者は、運動競技者、親、子供、ペット、教員、およびこれらの組み合わせからなる群から選択される。
【００４２】
[0042]実施形態において、パッケージは、消費者の付属肢上をスライドするように構築および構成される。
【００４３】
[0043]実施形態において、パッケージは、消費者の付属肢の周りに固定されるようにパッケージ自体の一部分に結合されるように構築および構成される。
【００４４】
[0044]実施形態において、中空容器は、約０．５オンス〜約５オンス、または約１オンス〜約４オンス、または約２オンス〜約３オンス、または約１．４オンス、または約２．５オンスの容積を有する。
【００４５】
[0045]実施形態において、中空容器は、固体製品、液体製品、半固体製品、またはこれらの組み合わせを収納するように構築および構成される。
【００４６】
[0046]実施形態において、中空容器は、穿孔、破断線、一方向弁、およびこれらの組み合わせからなる群から選択される少なくとも１つの開口要素を含む。
【００４７】
[0047]実施形態において、中空容器は、少なくとも２つの別個の部分に分割される。少なくとも２つの別個の部分は、同じ大きさまたは異なる大きさを有することができ、同じ製品または異なる製品を収納するように構築および構成されてもよい。
【００４８】
[0048]実施形態において、中空容器は再充填可能である。
【００４９】
[0049]実施形態において、中空容器は、１つの材料片で形成される。
【００５０】
[0050]実施形態において、パッケージは、外表面に表示を備える。
【００５１】
[0051]なお更に別の実施形態では、装着可能なパッケージが提供され、このパッケージは、消費可能な製品用容器と、装着可能なパッケージを使用者の身体部分および使用者の衣類片のうちの一方に取り付けるための少なくとも１つの取付装置とを含む。パッケージは使い捨て可能であってもよい。
【００５２】
[0052]実施形態において、容器は可撓性容器である。
【００５３】
[0053]実施形態において、容器は剛性容器である。
【００５４】
[0054]実施形態において、容器は不可逆的に封止される。
【００５５】
[0055]実施形態において、容器は可逆的に封止される。
【００５６】
[0056]実施形態において、取付装置は、ストラップ、タイ、バックル、ボタン、留め具、およびこれらの組み合わせからなる群から選択される。
【００５７】
[0057]実施形態において、パッケージは、手首、足首、腰、首、指、およびこれらの組み合わせからなる群から選択される身体部分に装着されるように構築および構成される。
【００５８】
[0058]実施形態において、パッケージは、腕時計、ベルト、スカーフ、ペットの首輪、靴、ヘッドバンド、リストバンド、およびこれらの組み合わせからなる群から選択される衣類片に装着されるように構築および構成される。
【００５９】
[0059]実施形態において、消費者は、運動競技者、親、子供、ペット、教員、およびこれらの組み合わせからなる群から選択される。
【００６０】
[0060]実施形態において、パッケージは、消費者の手首上をスライドするように構築および構成される。
【００６１】
[0061]実施形態において、パッケージは、消費者の身体部分の周りに固定されるようにパッケージ自体の一部分に結合されるように構築および構成される。
【００６２】
[0062]実施形態において、容器は、約０．５オンス〜約５オンス、または約１オンス〜約４オンス、または約２オンス〜約３オンス、または約１．４オンス、または約２．５オンスの容積を有する。
【００６３】
[0063]実施形態において、容器は、固体製品、液体製品、半固体製品、またはこれらの組み合わせを収納するように構築および構成される。
【００６４】
[0064]実施形態において、容器は、穿孔、破断線、一方向弁、およびこれらの組み合わせからなる群から選択される少なくとも１つの開口要素を含む。
【００６５】
[0065]実施形態において、容器は、少なくとも２つの別個の部分に分割される。少なくとも２つの別個の部分は、同じ大きさまたは異なる大きさを有することができ、同じ製品または異なる製品を収納するように構築および構成されてもよい。
【００６６】
[0066]実施形態において、容器は再充填可能である。
【００６７】
[0067]実施形態において、容器は、１つの材料片で形成される。
【００６８】
[0068]実施形態において、パッケージは、外表面に表示を備える。
【００６９】
[0069]更に別の実施形態では、消費者に製品を与える方法が提供される。方法は、製品を収納するための第１の区画および、双安定性バンドを収納するための第２の区画を有する装着可能なパッケージを準備するステップと、消費者にパッケージを装着するように指示するステップと、消費者に製品を消費するように指示するステップとを含む。
【００７０】
[0070]別の実施形態では、移動中に製品を消費する方法が提供される。方法は、製品を収納するための第１の区画、および双安定性バンドを収納するための第２の区画を有する装着可能なパッケージを装着するステップと、第１の区画を開封するステップと、製品を消費するステップとを含む。
【００７１】
[0071]別の実施形態では、ペットにペット用おやつを与える方法が提供される。方法は、ペット用おやつを収納するための第１の区画、および双安定性バンドを収納するための第２の区画を有する装着可能なパッケージを準備するステップと、ペットの世話人にパッケージを装着するように指示するステップと、ペットの世話人にペット用おやつをペットに与えるように指示するステップとを含む。
【００７２】
[0072]更に別の実施形態では、子供にスナックを与える方法が提供される。方法は、スナックを収納するための第１の区画、および双安定性バンドを収納するための第２の区画を有する装着可能なパッケージを準備するステップと、子供の世話人にパッケージを装着するように指示するステップと、子供の世話人にスナックを子供に与えるように指示するステップとを含む。
【００７３】
[0073]別の実施形態では、運動競技者に栄養を供給する方法が提供される。方法は、製品を収納するための第１の区画、および双安定性バンドを収納するための第２の区画を有する装着可能なパッケージを準備するステップと、運動競技者にパッケージを装着するように指示するステップと、運動競技者に製品を消費するように指示するステップとを含む。
【００７４】
[0074]なお更に別の実施形態では、運動競技者のパフォーマンスを高める方法が提供される。方法は、製品を収納するための第１の区画および、双安定性バンドを収納するための第２の区画を有する装着可能なパッケージを準備するステップと、運動競技者にパッケージを装着するように指示するステップと、運動競技者に製品を消費するように指示するステップとを含む。
【００７５】
[0075]更に別の実施形態では、運動イベント後の運動競技者の回復を改善する方法が提供される。方法は、製品を収納するための第１の区画、および双安定性バンドを収納するための第２の区画を有する装着可能なパッケージを準備するステップと、運動競技者にパッケージを装着するように指示するステップと、運動競技者に製品を消費するように指示するステップとを含む。
【００７６】
[0076]なお更に別の実施形態では、消費者に製品を与える方法が提供される。方法は、製品を収納するための第１の区画、および双安定性バンドを受け入れるための細長い開口を含む第２の区画を有する装着可能なパッケージを準備するステップと、消費者に双安定性バンドを細長い開口に挿入するように指示するステップと、消費者にパッケージを装着するように指示するステップと、消費者に製品を消費するように指示するステップとを含む。
【００７７】
[0077]別の実施形態では、移動中に製品を消費する方法が提供される。方法は、製品を収納するための第１の区画、および双安定性バンドを収納する細長い開口を有する第２の区画を含む装着可能なパッケージを装着するステップと、第１の区画を開封するステップと、製品を消費するステップとを含む。
【００７８】
[0078]更に別の実施形態では、ペットにペット用おやつを与える方法が提供される。方法は、ペット用おやつを収納するための第１の区画、および双安定性バンドを受け入れるための細長い開口を含む第２の区画を有する装着可能なパッケージを準備するステップと、ペットの世話人に双安定性バンドを細長い開口に挿入するように指示するステップと、ペットの世話人にパッケージを装着するように指示するステップと、ペットの世話人にペット用おやつをペットに与えるように指示するステップとを含む。
【００７９】
[0079]なお更に別の実施形態では、子供にスナックを与える方法が提供される。方法は、スナックを収納するための第１の区画、および双安定性バンドを受け入れるための細長い開口を含む第２の区画を有する装着可能なパッケージを準備するステップと、子供の世話人に双安定性バンドを細長い開口に挿入するように指示するステップと、子供の世話人にパッケージを装着するように指示するステップと、子供の世話人にスナックを子供に与えるように指示するステップとを含む。
【００８０】
[0080]更に別の実施形態では、運動競技者に栄養を供給する方法が提供される。方法は、製品を収納するための第１の区画、および双安定性バンドを受け入れるための細長い開口を含む第２の区画を有する装着可能なパッケージを準備するステップと、運動競技者に双安定性バンドを細長い開口に挿入するように指示するステップと、運動競技者にパッケージを装着するように指示するステップと、運動競技者に製品を消費するように指示するステップとを含む。
【００８１】
[0081]別の実施形態では、運動競技者のパフォーマンスを高める方法が提供される。方法は、製品を収納するための第１の区画、および双安定性バンドを受け入れるための細長い開口を含む第２の区画を有する装着可能なパッケージを準備するステップと、運動競技者に双安定性バンドを細長い開口に挿入するように指示するステップと、運動競技者にパッケージを装着するように指示するステップと、運動競技者に製品を消費するように指示するステップとを含む。
【００８２】
[0082]なお更に別の実施形態では、運動イベント後の運動競技者の回復を改善する方法が提供される。方法は、製品を収納するための第１の区画、および双安定性バンドを受け入れるための細長い開口を含む第２の区画を有する装着可能なパッケージを準備するステップと、運動競技者に双安定性バンドを細長い開口に挿入するように指示するステップと、運動競技者にパッケージを装着するように指示するステップと、運動競技者に製品を消費するように指示するステップとを含む。
【００８３】
[0083]更に別の実施形態では、栄養キットが提供される。栄養キットは、製品を収納するための第１の区画、および双安定性バンドを受け入れるための細長い開口を含む第２の区画を有する装着可能なパッケージと、双安定性バンドとを含む。
【００８４】
[0084]別の実施形態では、消費者に製品を与える方法が提供される。方法は、製品を収納する中空の剛性容器であって、消費者の付属肢の周りに装着されるように構築および構成される剛性容器を有する装着可能なパッケージを準備するステップと、消費者にパッケージを装着するように指示するステップと、消費者に製品を消費するように指示するステップとを含む。
【００８５】
[0085]別の実施形態では、移動中に製品を消費する方法が提供される。方法は、製品を収納する中空の剛性容器であって、消費者の付属肢の周りに装着されるように構築および構成される剛性容器を有する装着可能なパッケージを装着するステップと、中空容器を開封するステップと、製品を消費するステップとを含む。
【００８６】
[0086]なお更に別の実施形態では、ペットにペット用おやつを与える方法が提供される。方法は、ペット用おやつを収納する中空の剛性容器であって、ペットの世話人の付属肢の周りに装着されるように構築および構成される剛性容器を有する装着可能なパッケージを準備するステップと、ペットの世話人にパッケージを装着するように指示するステップと、ペットの世話人にペット用おやつをペットに与えるように指示するステップとを含む。
【００８７】
[0087]更に別の実施形態では、子供にスナックを与える方法が提供される。方法は、スナックを収納する中空の剛性容器であって、子供の世話人の付属肢の周りに装着されるように構築および構成される剛性容器を有する装着可能なパッケージを準備するステップと、子供の世話人にパッケージを装着するように指示するステップと、子供の世話人にスナックを子供に与えるように指示するステップとを含む。
【００８８】
[0088]別の実施形態では、運動競技者に栄養を供給する方法が提供される。方法は、製品を収納する中空の剛性容器であって、運動競技者の付属肢の周りに装着されるように構築および構成される剛性容器を有する装着可能なパッケージを準備するステップと、運動競技者にパッケージを装着するように指示するステップと、運動競技者に製品を消費するように指示するステップとを含む。
【００８９】
[0089]別の実施形態では、運動競技者のパフォーマンスを高める方法が提供される。方法は、製品を収納する中空の剛性容器であって、運動競技者の付属肢の周りに装着されるように構築および構成される剛性容器を有する装着可能なパッケージを準備するステップと、運動競技者にパッケージを装着するように指示するステップと、運動競技者に製品を消費するように指示するステップとを含む。
【００９０】
[0090]別の実施形態では、運動イベント後の運動競技者の回復を改善する方法が提供される。方法は、製品を収納する中空の剛性容器であって、運動競技者の付属肢の周りに装着されるように構築および構成される剛性容器を有する装着可能なパッケージを準備するステップと、運動競技者にパッケージを装着するように指示するステップと、運動競技者に製品を消費するように指示するステップとを含む。
【００９１】
[0091]別の実施形態では、消費者に製品を与える方法が提供される。方法は、製品を収納する消費可能な製品用容器と、装着可能なパッケージを消費者の身体部分および消費者の衣類片のうちの一方に取り付けるための少なくとも１つの取付装置とを有する装着可能なパッケージであって、使い捨て可能であるパッケージを準備するステップと、消費者にパッケージを装着するように指示するステップと、消費者に製品を消費するように指示するステップとを含む。
【００９２】
[0092]更に別の実施形態では、移動中に製品を消費する方法が提供される。方法は、製品を収納する消費可能な製品用容器と、装着可能なパッケージを消費者の身体部分および消費者の衣類片のうちの一方に取り付けるための少なくとも１つの取付装置とを有する装着可能なパッケージであって、使い捨てであるパッケージを装着するステップと、容器を開封するステップと、製品を消費するステップとを含む。
【００９３】
[0093]別の実施形態では、ペットにペット用おやつを与える方法が提供される。方法は、ペット用おやつを収納する消費可能な製品用容器と、装着可能なパッケージをペットの世話人の身体部分およびペットの世話人の衣類片のうちの一方に取り付けるための少なくとも１つの取付装置とを有する装着可能なパッケージであって、使い捨て可能であるパッケージを準備するステップと、ペットの世話人にパッケージを装着するように指示するステップと、ペットの世話人にペット用おやつをペットに与えるように指示するステップとを含む。
【００９４】
[0094]なお更に別の実施形態では、子供にスナックを与える方法が提供される。方法は、スナックを収納する消費可能な製品用容器と、装着可能なパッケージを子供の世話人の身体部分および子供の世話人の衣類片のうちの一方に取り付けるための少なくとも１つの取付装置とを有する装着可能なパッケージであって、使い捨て可能であるパッケージを準備するステップと、子供の世話人にパッケージを装着するように指示するステップと、子供の世話人にスナックを子供に与えるように指示するステップとを含む。
【００９５】
[0095]別の実施形態では、運動競技者に栄養を供給する方法が提供される。方法は、製品を収納する製品用容器と、装着可能なパッケージを運動競技者の身体部分および運動競技者の衣類片のうちの一方に取り付けるための少なくとも１つの取付装置とを有する装着可能なパッケージであって、使い捨て可能であるパッケージを準備するステップと、運動競技者にパッケージを装着するように指示するステップと、運動競技者に製品を消費するように指示するステップとを含む。
【００９６】
[0096]別の実施形態では、運動イベント後の運動競技者の回復を改善する方法が提供される。方法は、製品を収納する製品用容器と、装着可能なパッケージを運動競技者の身体部分および運動競技者の衣類片のうちの一方に取り付けるための少なくとも１つの取付装置とを有する装着可能なパッケージであって、使い捨て可能であるパッケージを準備するステップと、運動競技者にパッケージを装着するように指示するステップと、運動競技者に製品を消費するように指示するステップとを含む。
【００９７】
[0097]別の実施形態では、運動競技者のパフォーマンスを高める方法が提供される。方法は、製品を収納する製品用容器と、装着可能なパッケージを運動競技者の身体部分および運動競技者の衣類片のうちの一方に取り付けるための少なくとも１つの取付装置とを有する装着可能なパッケージであって、使い捨て可能であるパッケージを準備するステップと、運動競技者にパッケージを装着するように指示するステップと、運動競技者に製品を消費するように指示するステップとを含む。
【発明の効果】
【００９８】
[0098]本開示の利点は、改良されたパッケージを提供することである。
【００９９】
[0099]本開示の別の利点は、消費者にとって美的に魅力のある改良されたパッケージを提供することである。
【０１００】
[00100]本開示の別の利点は、消費者により容易に運ばれ、保持され、または持ち運ばれる改良されたパッケージを提供することである。
【０１０１】
[00101]本開示の更に別の利点は、消費者に製品を容易に分配することを実現する改良されたパッケージを提供することである。
【０１０２】
[00102]本開示のなお更に別の利点は、運動競技中に使用するパッケージを提供することである。
【０１０３】
[00103]本開示の別の利点は、手を用いずに組成物を便利に携行することを可能にするパッケージを提供することができる。
【０１０４】
[00104]本開示の更に別の利点は、移動中に食用製品を消費するためのパッケージを提供することである。
【０１０５】
[00105]本開示のなお更に別の利点は、消費者に対して組成物への手を用いないアクセスを提供するパッケージを提供することである。
【０１０６】
[00106]本開示の別の利点は、改良されたパッケージを使用する方法を提供することである。
【０１０７】
[00107]追加の特徴および利点は、本明細書で説明され、以下の詳細な説明および図から明らかになるであろう。
【図面の簡単な説明】
【０１０８】
【図１】本開示の実施形態によるパッケージの斜視図である。
【図２】本開示の実施形態による使用者により装着されたパッケージの斜視図である。
【図３】本開示の実施形態による図１のパッケージの断面図である。
【図４】本開示の実施形態による図３のパッケージの断面図である。
【図５】本開示の実施形態による図１のパッケージと同様のパッケージの断面図である。
【図６】本開示の実施形態によるパッケージの斜視図である。
【図７】本開示の実施形態によるパッケージの斜視図である。
【図８】本開示の実施形態によるパッケージの斜視図である。
【発明を実施するための形態】
【０１０９】
[00116]本明細書で使用する場合、「約」は、ある数値範囲の数を指すものと理解される。その上、本明細書における全ての数値範囲は、その範囲内の全ての整数、自然数または分数を含むものと理解されるべきである。
【０１１０】
[00117]本明細書で使用する場合、「栄養製品」または「栄養組成物」は、従来の食品添加物（合成または天然）、例えば、１種もしくは複数種の酸味料、追加の増粘剤、緩衝液もしくはｐＨ調整剤、キレート剤、着色料、乳化剤、賦形剤、風味剤、ミネラル、浸透圧剤、薬学的に許容される担体、保存料、安定化剤、糖、甘味料、質感調整剤、および／またはビタミンを含む、任意の数の任意選択の追加原材料を含むものと理解される。任意選択の原材料を任意の適切な量で添加することできる。栄養製品または栄養組成物は、完全栄養の供給源であってもよく、または不完全栄養の供給源であってもよい。
【０１１１】
[00118]本開示および添付の特許請求の範囲で使用する場合、単数形「ａ」、「ａｎ」および「ｔｈｅ」は、文脈で他に明確に定めない限り、複数の指示対象を含む。したがって、例えば、「ポリペプチド」への言及は、２つ以上のポリペプチドの混合物を含む、等々。
【０１１２】
[00119]本開示は、消費者により容易に取り扱われおよび／または持ち運ばれるように設計されたパッケージを対象とする。既知のパッケージは、消費者がパッケージを取り扱うまたは持ち運ぶのを便利にする設計要素を含むが、これらの設計要素は、典型的には、例えば、指による把持部、人間工学的ハンドル、テクスチャ加工された把持部などの要素を含む。しかしながら、特定の消費者から見ると、これらの種類の既知のパッケージが、ある制約または難題を抱えている場合がある。
【０１１３】
[00120]運動競技者などのある消費者は、パッケージを持ち運ぶのに手を必要としないパッケージに関心がある場合がある。例えば、運動活動（例えば、ランニング、サイクリング、スケートなど）に参加しているまたはその準備をしている運動競技者は、活動前、活動中、および／または活動後に自身と共に栄養組成物などの製品を持ち運ぶことを強く望む場合があるが、手（複数可）で製品を持ち運ぶことを望まない場合がある。製品は、運動パフォーマンスの向上もしくは維持または精神的注意力の向上のために炭水化物負荷の増進をさせるように調製された例えば、固体製品、液体製品および／または半固体製品であってもよい。この理由により、運動活動に参加するのに運動競技者の手が自由であるように、運動競技者がこれらの種類の製品を収容するパッケージを装着できることは便利であろう。よって、本開示のパッケージは、消費者または使用者により装着可能であるように設計される。更に、本発明のパッケージは、以下に更に述べるように、両手を使用して、片手を使用して、または手を全く使用せずに、開封されるかまたはその他の方法でアクセスされてもよい。
【０１１４】
[00121]本発明のパッケージが運動競技者にとって有用であるものとして説明されているが、本発明のパッケージを必要とする任意の消費者が本発明のパッケージを使用できることは明白である。例えば、パッケージは、パフォーマンス組成物を収納するのに有用である可能性があり、運動競技者により装着されてもよい。パッケージはまた、スナックを収納するのに有用であってもよく、親またはその子供により装着されてもよい。パッケージは更に、ペット用おやつを収納するのに有用であってもよく、ペットの飼い主により装着されるまたはペットの首輪に装着されてもよい。よって、当業者であれば、本開示のパッケージが本明細書に説明した用途に限定されるものではないことを認識するであろう。
【０１１５】
[00122]本発明のパッケージは、同じ消費者による消費のために消費者の身体もしくは衣類、または別の消費者による消費のために世話人の身体もしくは衣類に装着されてもよい。例えば、消費者または世話人が、本発明のパッケージを手首、足首、脚、腕、首、頭、指、またはこれらの組み合わせに装着することができる。代替的に、本発明のパッケージを、消費者または世話人の衣類に装着することができ、衣類は、限定されるものではないが、腕時計、ベルト、ネックレス、指輪、靴、ヘッドバンド、リストバンド、またはこれらの組み合わせを含む。しかしながら、当業者であれば、本明細書に列挙した身体部分および衣類片が限定的なものではなく、かつ本発明のパッケージが消費者の任意の便利な位置に装着されてもよいことを認識するであろう。
【０１１６】
[00123]本開示のパッケージは、いくつかの有用な形態で消費者に提供されてもよい。第１の実施形態では、図１に示すように、パッケージ１０は、図２に示すような、消費者の手首に装着されるように設計された可撓性のブレスレットの形態で提供されてもよい。本実施形態において、パッケージ１０は、製品を収納するための第１の区画１２と、パッケージ１０を装着可能にする構造を提供するための第２の区画１４とを有する、例えば、可撓性のブレスレットであってもよい。
【０１１７】
[00124]パッケージ１０はまた、例えば、消費者の手首または足首に快適にフィットするように構築および構成される。パッケージ１０は、例えば、長さが約２〜１０インチ、または長さが約３〜９インチ、または長さが約４〜約８インチ、または長さが約５〜約７インチ、または長さが約６インチであってもよい。同様に、パッケージ１０は、幅が約０．５〜約４インチ、または幅が約１〜約３インチ、または幅が約２インチであってもよい。当業者であれば、パッケージ１０の厚さが製品区画１２内に収容される製品の種類または製品の容量によって決まることを認識するであろう。この点に関して、製品区画１２は、より大きな固体製品を収納するように設計される場合には、より厚いものとなり、液体製品を収納するように設計される場合には、より薄いものとなる。
【０１１８】
[00125]製品区画１２は、消費者によるパッケージの装着に便利である同時に、消費可能な製品を収納することが可能な任意の容積を有してもよい。例えば、製品区画１２は、約０．５オンス〜約５オンス、もしくは約１オンス〜約４オンス、もしくは約２オンス〜約３オンス、もしくは約２オンス〜約３オンスの範囲の、または約２．５オンス、または約１．４オンスの容積を有してもよい。
【０１１９】
[00126]製品区画１２はまた、封止された区画であってもよい。シーリングは、不可逆的に封止されてもよく、または再封止可能であってもよい。この特徴は、製品区画１２内に保存される任意の消費可能な製品の鮮度を維持するのに役立つ。
【０１２０】
[00127]製品区画１２および構造区画１４は、固体、液体および／または半固体を保持するように形成される任意の可撓性材料で作られてもよい。例えば、製品区画１２および構造区画１４は、可撓性プラスチック、可撓性布など、またはこれらの組み合わせで作られてもよい。製品区画１２および構造区画１４は、別個に製造され、後の製造工程で接合されてもよい。代替的に、製品区画１２および構造区画１４は、単一の可撓性材料片から作製されてもよい。よって、当業者であれば、任意の数の製品区画１２を構造区画１４と組み合わせて使用してもよいことを認識するであろう。例えば、パッケージ１０は、パッケージを装着可能にする構造をパッケージ１０に提供する単一の構造区画１４を含んでもよく、この構造区画１４は、製品を収納できる任意の数の製品区画１２と組み合わされてもよい。この点に関して、パッケージ１０は、１つ、２つ、３つ、４つ、またはそれよりも多くの製品区画１２を含んでもよく、更に以下に説明するように、各区画が、同じもしくは異なる種類および／または容量の製品を収容する。２つ以上の製品区画１２を含む実施形態において、製品区画は、構造区画１４の両側に位置してもよい。
【０１２１】
[00128]図１に示すように、製品区画１２および構造区画１４は、製品区画１２と構造区画１４が互いに接触して一体のパッケージを形成するように互いに連続して位置する。この構造は、パッケージ１０の一体性が使用者によるパッケージ１０の装着の間中ずっと変わらないままであることを確実にするのに役立つ。
【０１２２】
[00129]実施形態において、パッケージ１０はスラップブレスレットである。本明細書で使用する場合、「スラップブレスレット」は、可撓性のハウジング（例えば、布、プラスチックなど）内に収容された層状で可撓性の双安定性金属ばねバンドを有するブレスレットである。スラップブレスレットを、金属バンド内に張力を生じさせるために真っ直ぐに伸ばし、次いで、装着者の手首に打ち付けることができ、手首に巻き付き、ブレスレットを装着者に固定する湾曲形態にバンドをばね力で復帰させる。本実施形態では、図３および図４に示すように、構造区画１４が双安定性金属バンド１６を含む一方で、製品区画１２は、例えば、運動パフォーマンス製品（例えば、炭水化物ゲル、炭水化物液体、炭水化物固体など）などの消費可能な製品を収納してもよい。一実施形態では、本開示のパッケージ１０が双安定性金属ばねバンド１６を有するものとして説明されているが、当業者であれば、金属バンドではなく、双安定性金属ばねバンドとしての挙動を示す任意の材料（例えば、プラスチックバンド）を使用してもよいことを認識するであろう。
【０１２３】
[00130]双安定性バンドを形成するために使用される材料にかかわらず、双安定性バンドは、本発明のパッケージを装着可能にするのに必要な一体性を提供する大きさおよび形状とされるべきである。例えば、双安定性バンドは、長さが約１インチ〜約１０インチ、または約２インチ〜約９インチ、または約３インチ〜約８インチ、または約４インチ〜約７インチ、または約５インチ〜約６インチの範囲の実質的に平坦なバンドであってもよい。双安定性バンドはまた、約０．５インチ〜約４インチ、もしくは約１インチ〜約３インチの範囲の、または約２インチの幅を有してもよい。当業者であれば、本発明のパッケージの実施形態によっては、双安定性バンドが、パッケージ１０における開口に受け入れられる大きさおよび形状とされてもよいことを認識するであろう。
【０１２４】
[00131]製品区画１２内に製品を有しかつ構造区画１４内に金属バンド１６を有するパッケージ１０が消費者に販売されるように、製造時に、金属バンド１６が構造区画１４内に形成されてもよい。代替的に、図５に図示する別の実施形態では、製造後に金属バンド１６を受け入れるように設計された構造区画１４用の開口１８を有するパッケージ１０が製造されてもよい。そして、消費者は、金属バンド１６が構造区画１４内に形成された状態で製造されたパッケージ１０と同じ装着性を得るために、パッケージ１０の使用前に、金属バンド１６を、例えば、開口１８内にスライドさせることができる。本実施形態では、再使用可能な金属バンド１６と共に使用するパッケージ１０を市場に提供することが可能であり、このことにより、以前に購入した金属バンド１６と新しい製品区画１２とを備えた図５のパッケージ１０を使用できる消費者にとってコストの低減が可能となる。代替的に、パッケージ１０は、パッケージ１０内に形成された金属バンド１６と、消費者が装着可能なパッケージとして使用する製品区画内１２に入れるべき追加の製品（複数可）を購入できるように、再充填可能な製品区画１２とを含んでもよい。この場合もまた、これにより、パッケージ１０全体を購入するコストよりも低いコストで追加の製品（複数可）を買うことができる消費者にとってコストの低減が可能となる。
【０１２５】
[00132]別の実施形態において、パッケージ１０はまた、例えば、使用者の手の上をスライドさせて、ブレスレットとして装着できる可撓性の連続したバンドとして設計されてもよい。本実施形態において、パッケージ１０は、パッケージ１０の２つの部分を連結して、パッケージ１０を手首または使用者の他の身体部分（例えば、足首、首、腰、頭など）の周りに留めるために使用できる連結具または留め具（図示せず）を含んでもよい。
【０１２６】
[00133]図５に示すように、製品区画１２は、製品を収納する２つ以上の区画２０に分割されてもよい。区画２０は、提供する製品の目的に応じて、等しいまたは異なる大きさとされてもよい。例えば、消費者に複数回用量の同じおよび／または異なる製品を提供するために、区画２０は、等しいまたは異なる大きさを有してもよい。例えば、第１の区画２０は、第１の大きさを有してもよく、運動パフォーマンス前に運動競技者により消費されるように意図された第１の製品を収納してもよい。第２の区画２０は、第２の大きさを有してもよく、運動パフォーマンス中に運動競技者により消費されるように意図された第２の製品を収納してもよい。第３の区画２０は、第３の大きさを有してもよく、運動パフォーマンス後に運動競技者により消費されるように意図された第３の製品を収納してもよい。代替的に、第１、第２および第３の区画２０は、等しい大きさとされるが、異なる製品を有してもよく、または異なる大きさとされ、異なる量の同じ製品を有してもよい。当業者であれば、本発明のパッケージを提供する必要性または目的に応じて、本発明のパッケージと共に、区画の大きさと区画内に収容される製品との任意の組み合わせ使用できることを認識するであろう。
【０１２７】
[00134]同じ点に関して、区画２０は、特定の活動に推奨される投与要件に応じて、消費者に特定の製品の特定の投与量を提供するような大きさとされてもよい。例えば、ランニングというスポーツに従事する成人男性が、走行前、走行中および走行後に一定量の炭水化物を消費することが推奨される場合には、区画２０は、成人男性に必要とされる特定の投与量を提供するような大きさとされてもよい。よって、パッケージ１０は、特定の性別、特定のスポーツ、特定の使用、またはこれらの任意の組み合わせを対象とするように市販されてもよい。代替的に、使用者により装着される複数のパッケージ１０を提供することにより、製品の複数回用量を達成することができる。この点に関して、２つ以上のパッケージ１０は、使用者により装着されてもよく、２つ以上のパッケージ１０が、同じもしくは異なる種類の製品および／または同じもしくは異なる量の製品を収容する。
【０１２８】
[00135]パッケージ１０は、パッケージ１０内の内容物を取り出して空にするために、消費者により容易に開封されるように構築および構成される。例えば、製品区画１２内に収容された任意の製品にアクセスするために、使用者は、包装材の一部分を切断する、破断させる、穿孔する、または除去する、および製品区画１２から内容物を取り出して空にすることにより製品区画１２を開封することができる。例えば、図５で示すように、パッケージ１０は、製品区画１２内に収容された製品にアクセスするために、消費者が噛みちぎってまたは破断させて開封するために使用してもよい穿孔部分２２を含んでもよい。代替的に、製品区画１２は、製品区画１２内に収容された製品にアクセスするために消費者が抑えるまたは吸い付くことができる一方向弁２４を含んでもよい。パッケージ１０を消費者が装着でき、かつ製品区画１２内に収容された任意の製品に、例えば、手または口でアクセスできるため、パッケージ１０は、パッケージ１０内に収容された製品への容易な両手でのアクセス、片手でのアクセス、または手を使わないアクセスを実現する。次いで、製品は、片手もしくは両手を使用してアクセスされてもよく、または消費者の口内に直接分配されてもよい。このことは、パッケージを開封し、消費可能な製品にアクセスするために自身の片手または両手をすぐに使用できない消費者（例えば、マラソン中の走者、レース中のサイクリストなど）にとって有効であってもよい。
【０１２９】
[00136]パッケージ１０はまた、任意の外表面にブランド表示および／または製品表示（図示せず）を含んでもよい。表示は、外表面に印刷されるか、またはステッカ、粘着ラベルなどで外表面に接着されてもよい。このように、パッケージ１０は、小売用の棚の上に直立状態で置かれるように、または製品陳列ラックからぶら下がるように設計されてもよい。
【０１３０】
[00137]別の実施形態では、剛性の装着可能なパッケージ２６が提供される。本明細書において上で説明したパッケージ１０と同様に、パッケージ２６は、パッケージ２６内に収納された製品（図示せず）を容易に持ち運ぶために消費者により装着されてもよい。本実施形態において、パッケージ２６は、ブレスレットとして装着するために、使用者の手首、足首または他の身体部分に外嵌できる一体のパッケージであってもよい。代替的に、パッケージ２６はまた、使用者の手首または他の身体部分（例えば、足首、首、腰、頭など）に装着されるパッケージ２６の２つの部分を留め合わせるための留め具（図示せず）を含んでもよい。パッケージ１０と同じように、パッケージ２６内に収容された製品は、パッケージ２６の任意の部分を切断する、破断させる、噛みちぎる、引き裂くまたは除去することによりアクセスされてもよい。同様に、一方向弁または同様の装置（図示せず）は、パッケージ２６内に収容された任意の製品にアクセスするために使用されてもよい。当業者であれば、パッケージ１０に関して上で説明した全ての特性がパッケージ２６で利用されてもよいことを認識するであろう。例えば、パッケージ２６は、再充填可能で、再使用可能であり、複数の製品区画を含み、弁、穿孔および／または留め具を含み、不可逆的に封止されるなどしてもよい。
【０１３１】
[00138]本開示の更に別の実施形態では、可撓性容器２８が提供され、この容器２８は、製品区画３０と少なくとも１つの取付装置３２とを含む。製品区画３０は、固体、液体、および／または半固体製品を収容することが可能な任意の可撓性区画であってもよい。実施形態において、製品区画３０は可撓性プラスチックである。取付装置３２は、例えば、ストラップ、締結具、連結具、タイ、ベルト、バンド、引き綱、材料片、接着剤、バックル、ボタンなどであってもよい。実施形態において、取付装置３２は、例えば、腕時計バンド、ベルト、スカーフ、靴、ブレスレット、ネックレス、指輪、ヘッドバンド、リストバンドなどの既存の衣類品に取り付けられる大きさおよび形状とされる。取付装置３２は、取付装置３２を、例えば、使用者により装着される腕時計バンド上にスライドさせてもよいように連続した材料片であってもよい。代替的に、取付装置３２は、使用者により装着される、例えば、ベルトに巻き付くように取付装置３２の２つの部分を連結するためにベルクロ、ボタン、留め具などを使用してもよい。
【０１３２】
[00139]パッケージ１０と同じように、パッケージ２８内に収容された製品は、パッケージ２８の任意の部分を切断する、破断させる、噛みちぎる、引き裂くまたは除去することによりアクセスされてもよい。同様に、一方向弁または同様の装置（図示せず）は、パッケージ２８に収容された任意の製品にアクセスするために使用されてもよい。当業者であれば、パッケージ１０に関して上で説明した全ての特性がパッケージ２８で利用されてもよいことを認識するであろう。例えば、パッケージ２８は、再充填可能で、再使用可能であり、複数の製品区画を含み、弁、穿孔および／または留め具を含むなどしてもよい。
【０１３３】
[00140]本開示の更に別の実施形態では、剛性容器３４が提供され、この容器３４は、製品区画３６と少なくとも１つの取付装置３８とを含む。実施形態において、製品区画３６は、製品区画３６内に収容された製品（複数可）にアクセスするための開口４０と、製品区画３６を密閉するための蓋４２とを含む硬質の区画である。製品区画３６は、固体、液体、および／または半固体製品を収容することが可能な任意の剛性区画であってもよい。実施形態において、製品区画３６は剛性プラスチックである。取付装置３８は、例えば、ストラップ、締結具、連結具、タイ、ベルト、バンド、引き綱、材料片、接着剤、バックル、ボタンなどであってもよい。実施形態において、取付装置３８は、例えば、腕時計バンド、ベルト、スカーフ、靴、ブレスレット、ネックレス、指輪、ヘッドバンド、リストバンドなどの既存の衣類品に取り付けられる大きさおよび形状とされる。取付装置３８は、取付装置３８を、例えば、ペットの世話人により持ち運ばれる引き綱上にスライドさせてもよいように連続した材料片であってもよい。代替的に、取付装置３８は、運動競技者により装着される、例えば、靴に巻き付くように取付装置３８の２つの部分を連結するためにベルクロ、ボタン、留め具などを使用してもよい。
【０１３４】
[00141]パッケージ１０と同じように、パッケージ３４内に収容された製品は、パッケージ３４の任意の部分を切断する、破断させる、噛みちぎる、引き裂くまたは除去することによりアクセスされてもよい。同様に、一方向弁または同様の装置（図示せず）は、パッケージ３４に収容された任意の製品にアクセスするために使用されてもよい。当業者であれば、パッケージ１０に関して上で説明した全ての特性がパッケージ３４で利用されてもよいことを認識するであろう。例えば、パッケージ３４は、再充填可能で、再使用可能であり、複数の製品区画を含み、弁、穿孔および／または留め具を含み、不可逆的に封止されるなどしてもよい。
【０１３５】
[00142]本開示のパッケージの使用方法も提供される。実施形態では、移動中に製品を消費する方法、ペットにペット用おやつを与える方法、子供にスナックを与える方法、運動競技者に栄養を供給する方法、運動競技者のパフォーマンスを高める方法、ランニング、サイクリング、スケート、スキーなどの運動イベント後に運動競技者の回復を改善する方法などに加えて、消費者に製品を与える方法が提供される。しかしながら、当業者であれば、例えば、運動イベント前、運動イベント中または運動イベント後に運動競技者に対する炭水化物負荷を増進させること、運動イベント前、運動イベント中または運動イベント後に運動競技者のパフォーマンスを改善することなどを含め、本発明のパッケージの多くの他の利用可能性が存在することを認識するであろう。実施形態では、栄養キットも提供される。
【０１３６】
[00143]本開示のパッケージは、消費者に製品を送達するための便利で、携行可能かつ消費し易い方法を提供する。パッケージは、消費者が装着することができ、パッケージ内に収容された製品への両手でのアクセス、片手でのアクセス、または手を使わないアクセスを提供することができる。加えて、パッケージは、特定の消費者に特定の製品の正確な製品投与要件を提供するように設計されてもよい。
【０１３７】
[00144]本明細書で説明する現時点で好ましい実施形態に対する種々の変更および修正が当業者には明らかであることが理解されるべきである。そのような変更および修正を、本主題の精神および範囲から逸脱することなく、かつ本主題の意図された利点を減ずることなく行うことができる。したがって、そのような変更および修正は、添付の特許請求の範囲に包含されることが意図されている。
【図１】
2016501784.tif 000003
【図２】
2016501784.tif 000004
【図３】
2016501784.tif 000005
【図４】
2016501784.tif 000006
【図５】
2016501784.tif 000007
【図６】
2016501784.tif 000008
【図７】
2016501784.tif 000009
【図８】
2016501784.tif 000010
【国際調査報告】
2016501784.tif 000011
2016501784.tif 000012
2016501784.tif 000013